(57)【要約】【課題】装飾体を、容易に、台座上に安定して浮遊させた状態に保持し、しかも、回転可能とする装飾品を提供する【解決手段】台座１上に間隔を空けて複数の磁石Ａを設け、その上に装飾体Ｘ（ボール２など）を配置するものであって、前記装飾体Ｘの周囲に、前記磁石Ａと反発する磁石Ｂを設け、これら磁石Ａ及びＢの反発力を利用して、装飾体を空中に浮遊させ、かつ、前記台座１の背面側に磁石板３を立て、前記装飾体の背面中心軸上に強磁性体の線状体４を取り付けることで、該線状体の先端を前記磁石板に吸着させ、装飾体の中心軸を定位置に保持できるようにした。【選択図】図１
0003148579.tif 000002
【実用新案登録請求の範囲】
【請求項１】
台座上に間隔を空けて複数の磁石Ａを設け、その上に装飾体を配置するものであって、前記装飾体の周囲に、前記磁石Ａと同極の磁石Ｂを設け、かつ前記台座の背面側に磁石板を立て、前記装飾体の背面中心軸上に強磁性体の線状体を取り付けたことを特徴とする装飾体を台座上に浮遊した状態で設置できる装飾品。
【請求項２】
前記強磁性体の線状体の長さが、前記装飾体が前記磁石Ａ及びＢの存在によって、前記台座の上に浮遊した状態で、該装飾体と前記磁石板の間隔に相当する長さであることを特徴とする請求項１の装飾品。
【請求項３】
前記装飾体がボールであって、前記台座上に一対の支持具を設け、この支持具の先端部にそれぞれ磁石Ａを設け、前記ボールの周囲に、前記磁石Ａと同極の磁石Ｂを設け、前記台座の背面側で、前記円弧状の支持具の中心軸に対応する位置に前記磁石板を設け、前記ボールの背面に、前記強磁性体の線状体を取り付け、前記線状体の先端が前記磁石板に吸着されることにより、前記ボールが前記複数の磁石Ａの間で、浮遊した状態で定位置に保たれるようになっていることを特徴とする請求項１の装飾品。
【請求項４】
前記装飾体がバットであって、前記台座上に長手方向に一定間隔を空けて、磁石Ａ１とＡ２が取り付けられており、前記台座の長手方向の一端に前記磁石板が設けられており、前記バットに前記磁石Ａ１及びＡ２に対応する位置に、前記バットの軸を中心とする環状に磁石Ｂ１及びＢ２が設けられており、前記磁石Ａ１とその上に位置する前記磁石Ｂ１が同極の磁石であり、前記磁石Ａ２とその上に位置する前記磁石Ｂ２が同極の磁石であること、及び、前記バットのグリップ側の端部中心に強磁性体の線状体が取り付けられており、前記線状体の先端が前記磁石板に吸着されることにより、前記バットが磁石Ａ１とＢ１及び磁石Ａ２とＢ２の反発力で、前記台座上、定位置に浮遊した状態で保たれるようになっていることを特徴とする請求項１又は２の装飾体。
【請求項５】
前記磁石Ａ１と前記磁石Ａ２が異極の磁石であることを特徴とする請求項４の装飾体。
【考案の詳細な説明】
【技術分野】
【０００１】
本考案は、装飾体を回転可能な状態で、安定して、台座上に浮遊した状態で設置できる装飾品に関する。
【背景技術】
【０００２】
地球儀などを台座上に浮遊した状態で飾ることは、知られているが、いずれも、それを回転させようとする場合、軸心から離れて移動し易く、空間に浮遊した状態で、安定して回転させることは困難であった。
例えば、地球儀を磁石で、浮遊させて使用できるようにしようとする試みについては、特許文献１〜３等が存在する。しかし、磁石の反発だけで、一定空間に物体を浮遊させることは困難であり、使用時、その位置決めに時間を要するものであった。
【特許文献１】実開昭５３−６６３５１号公報
【特許文献２】実開昭６２−２０７５号公報
【特許文献３】実用新案登録第３０１６０２６号公報
【考案の開示】
【考案が解決しようとする課題】
【０００３】
本考案は、種々の装飾体を、容易に、台座上に安定して浮遊させた状態に保持し、しかも、回転可能とした装飾品を提供することを課題とする。
【課題を解決するための手段】
【０００４】
本考案では、装飾体を台座上に磁石で浮上させると共に、その回転中心軸を、磁石で、一線上に固定し、その軸を中心として回転可能とすることにより、上記課題を解決した。
【０００５】
すなわち、本考案では、台座上に間隔を空けて複数の磁石Ａを設け、その上に装飾体を配置するものであって、前記装飾体の周囲に、前記磁石Ａと反発する磁石Ｂを設け、これら磁石Ａ及びＢの反発力を利用して、装飾体を空中に浮遊させ、かつ、前記台座の背面側に磁石板を立て、前記装飾体の背面中心軸上に強磁性体の線状体を取り付けることで、該線状体の先端を前記磁石板に吸着させ、装飾体の中心軸を定位置に保持できるようにしたのである。
【０００６】
その結果、装飾体は、浮遊した定位置を保った状態で前記中心軸を中心として、安定して回転可能となる。
【０００７】
本考案において、装飾体はどのようなものであってもよいが、軸心を中心として回転可能なものであるのが好ましく、例えばサッカー、野球又はゴルフなどのボール、あるいはバット、飛行船や飛行機などが特に好ましく使用できる。
【０００８】
磁石は、一般に永久磁石を使用するのが好ましく、装飾体に装着する強磁性体の線状体としては、磁石にくっつくものであればよく、一般に強磁性体と称されるものはいずれも使用できる。例えば、コバルト、ニッケル、鉄含有合金などである。
【０００９】
強磁性体の線の長さは、装飾体と磁石板の間を一定に保つものであればよい。
【実施例】
【００１０】
次に、本考案を図面に示す実施例に従って説明する。
図１の例は、野球ボール２を装飾体Ｘとするものである。台座１には、一対の支持具２の両先端に＋又は−の磁石Ａが装着されており、ボール２には、その外周に、帯状に磁石Ａと同極の磁石Ｂが装着されている。例えば、磁石ＡとＢは共に＋の磁石とすることで、該磁石間の反発によりボール２は台座１上で浮遊することとなる。なお、台座の背後には、磁石板３が立っており、ボール２の背後（前記円周の中心軸となる位置）に強磁性体の線状体４（この例では鉄線）が取付けられているので、線状体４の先端が磁石板３に吸着し、ボール２を定位置に保つことが可能となる。
【００１１】
かかる装置では、ボール２の位置決めを、その背後に取り付けられた線状体４の先端を磁石板３に吸着させることで、容易に実施できるため、磁石間の反発力で浮遊するボール２を安定して扱うことができ、線状体４の接点を中心として、浮遊状態で回転させることも可能である。
【００１２】
なお、ボール２の周囲に設けられる磁石Ｂは、帯状に連続して設けられても、また、断続的に帯状をなすように設けられてもよい。
【００１３】
次に、図２の例は、野球のバット５を装飾体Ｘとするものであり、台座１には、長手方向に一定間隔を空けて磁石Ａ１と磁石Ａ２が取り付けられており、台座１の長手方向の一端に磁石板３が設けられており、バット５には、台座１における前記磁石Ａ１とＡ２に対応する位置に、該バット５の軸を中心とする環状に磁石Ｂ１とＢ２が設けられている。この環状の磁石Ｂ１とＢ２は、それぞれ連続した帯状の磁石であっても、断続して帯状に磁石が配列されたものであってもよい。
台座１の磁石Ａ１とその上に位置するバット５の磁石Ｂ１は同極の磁石であり、又、台座１の磁石Ａ２とその上に位置するバット５の磁石Ｂ２はそれぞれ同極とすることで、磁石間の反発力で、台座１にバット５が浮遊するものとなる。なお、バット５のグリップ側の端部中心に強磁性体の線状体４が取り付けられており、該線状体４の先端が磁石板３に吸着されることにより、バット５の位置決めが容易で、安定して、バット５を台座１の上で、空中に浮遊させた状態に保つことが可能となる。この例においても、磁石板３に吸着された線状体４の存在により、バット５は軸心を中心に、浮遊した状態で回転されることが可能となる。
磁石Ａ１とＡ２は同極のものであってもよいが、これらを異極の磁石とすることによって、取扱が容易となる。この例では、磁石Ａ１と磁石Ｂ１を＋とし、磁石Ａ２と磁石Ｂ２を−とした。
【００１４】
なお、台座１に設ける磁石の数は、目的に応じて選べばよく、３個以上であってもよい。また、装飾体Ｘに設ける磁石も、台座１に設けた磁石と反発し、装飾体Ｘを所望の位置に浮遊させる条件下で、取付け位置及び個数を選ぶことができる。
【００１５】
図面には、装飾体としてボールとバットの二例を示したが、飛行船や飛行機、あるいはサイコロや独楽なども装飾体として効果的に使用可能である。
【００１６】
なお、本考案において、装飾体Ｘに設けられる磁石Ｂ（又はＢ１やＢ２など）は、装飾体Ｘの外観に影響しないように、装飾体Ｘの表層の下に設けるのがよい。
【図面の簡単な説明】
【００１７】
【図１】図１は本考案の一例を示すもので、（イ）は正面図、（ロ）は背面図、（ハ）は側面図である。
【図２】図２は本考案の他の一例を示す、台座部分を断面とした側面図である。
【符号の説明】
【００１８】
１    台座
２    ボール
３    磁石板
４    強磁性体の線状体
５    バット
【図１】
0003148579.tif 000003
【図２】
0003148579.tif 000004